(57)【要約】  機器は、変調されて、液体を変換し、模擬炎を形成するように構成される変換器を有する。変換器は、液体がミストに変換されるような、変化するパワーレベルを有する変調された駆動信号によって駆動される圧電変換器でもよく、また、それにより、変換器は、蒸気柱を作成するために、ミストを制御して、形づくる。柱は、模擬炎を生成する有色光源によって照らされる。芯又はノズルは、液体を変換器に提供してもよい。芯は、さまざまな形状、すなわち、螺旋状、段状を有してもよく、撚られた又は編まれた、色の変化する光ファイバケーブル、又はＬＥＤライト／管を含んでもよい。変換器は、柱を形づくり、ゆらぐ炎の効果を作り出すために、複数の開口、穿孔、切り欠き、及び／又はくぼみを有してもよい。【代表図】図１
2019518603.tif 000002
【特許請求の範囲】
【請求項１】
機器であって、
表面を有する変換器と、
前記変換器表面に衝突する液滴を供給するように構成されるディスペンサと、
変調信号を生成するように構成される制御回路であって、前記変調信号が、
前記液滴をミストに変換し、
前記ミストが前記変調信号の関数として形状及び寸法を変える
ように、前記変換器を駆動するように構成される、制御回路と、
前記ミストを照らすように構成される光源と
を備える、機器。
【請求項２】
前記照らされたミストが模擬炎のように見える、請求項１に記載の機器。
【請求項３】
前記変調信号が、前記ミストが不規則な形状、寸法、及び／又は高さを有するようなさまざまな波形を備える、請求項１に記載の機器。
【請求項４】
前記変調信号が、前記ミストが変化するパワーレベルの関数として不規則な形状、寸法、及び／又は高さを有するような、前記変化するパワーレベルを備える、請求項１に記載の機器。
【請求項５】
前記変換器が、前記供給された液滴をはね散らすように構成される、請求項１に記載の機器。
【請求項６】
前記変換器が、前記ミストを通過させるように構成された少なくとも１つの開口を有する、請求項５に記載の機器。
【請求項７】
前記ディスペンサが、変化する蒸気柱を形成するために、変化する寸法を有する前記液滴を供給するように構成される、請求項１に記載の機器。
【請求項８】
前記ミストを通過させて、成形するように構成される成形部材をさらに備える、請求項１に記載の機器。
【請求項９】
前記成形部材が、円錐又は他の形状から構成される、請求項８に記載の機器。
【請求項１０】
前記光源が、前記ミスト内から前記ミストを照らすように構成される、請求項１に記載の機器。
【請求項１１】
前記光源が有色である、請求項１０に記載の機器。
【請求項１２】
前記変調信号が、前記ミストが変化するパワーレベルの関数として不規則な形状、寸法、及び／又は高さを有するような、前記変化するパワーレベルを備える、請求項７に記載の機器。
【請求項１３】
前記ミストを通過させて、成形するように構成される成形部材をさらに備える、請求項１２に記載の機器。
【請求項１４】
液体を保持するように構成されるリザーバをさらに備え、前記ディスペンサが、前記リザーバから前記液体を前記液滴として供給するように構成される、請求項１に記載の機器。
【請求項１５】
前記ディスペンサが、さまざまな速度で前記液滴を供給するように構成される、請求項１２に記載の機器。
【請求項１６】
機器であって、
変換器と、
前記変換器上に液滴を供給するように構成されるディスペンサと、
変調信号を生成するように構成される制御回路であって、前記変調信号が、
前記変換器に近接する液滴を蒸気柱に変換し、
前記蒸気柱が前記変調信号の関数として形状を変える
ように、前記変換器を駆動するように構成される、制御回路と、
前記蒸気柱が模擬炎のように見えるように、前記蒸気柱を照らすように構成される光源と
を備える、機器。
【請求項１７】
前記変調信号が、前記蒸気柱が不規則な形状を有するようなさまざまな波形を備える、請求項１６に記載の機器。
【請求項１８】
前記変調信号が、前記蒸気柱が不規則な形状を有するような変化するパワーレベルを備える、請求項１６に記載の機器。
【請求項１９】
前記蒸気柱を通過させて、成形するように構成される成形部材をさらに備える、請求項１６に記載の機器。
【請求項２０】
前記光源が有色である、請求項１６に記載の機器。
【請求項２１】
前記ディスペンサが、前記光源に取り囲まれている導管を備える、請求項１０に記載の機器。
【請求項２２】
前記光源が段状である、請求項２１に記載の機器。
【請求項２３】
前記光源が螺旋状に成形される、請求項２１に記載の機器。
【請求項２４】
前記光源が撚り合わされる、請求項２１に記載の機器。
【発明の詳細な説明】
【技術分野】
【０００１】
優先権
本出願は、米国特許法第１１９条（ｅ）に基づき、２０１５年６月１０日に出願された「Mist Illuminated Liquid Light Art」と題される米国仮特許出願第６２／１７３，８０９号の優先権を主張し、その教示は、その全体が本明細書に組み込まれる。
【０００２】
技術分野
本開示は一般に、不燃性ロウソク並びに多数の他の用途で使用するためのイミテーション炎の作成に関する。
【背景技術】
【０００３】
背景
ロウソクの模擬炎は、本物の炎が好ましくない、非実用的である、又は、許可されない、閉じられた空間での使用が好ましい。模擬炎を生成するさまざまな方法があり、いくつかの模擬炎は他のものよりも本物のようである。費用効果が優れ、且つ、コンパクトな模擬炎を作成することは、家庭及び商用環境の両方における多くの用途に好ましい。
【発明の概要】
【課題を解決するための手段】
【０００４】
概要
機器は、模擬炎を形成するために、液体を変換して、変調させるように構成される変換器を有する。変換器は、液体がミスト／エアロゾルに変換されるような、変調された駆動信号によって駆動される圧電変換器でもよく、それにより、変換器は、蒸気柱を作成するために、ミストを制御して、成形する。ノズル／マニホルドの使用、変換器より上の特定の距離は、同様にミストを成形してもよい。柱は、模擬炎を生成するために、有色光源によって照らされる。芯又はディスペンサは、液体を変換器に提供する１つの手段であってもよい。変換器に提供される液滴寸法を制御することが、柱の寸法、次元を形づくってもよい。変換器は、柱を成形し、ゆらぐ炎の効果を作り出すために、複数の開口、角度の付いた又は直線状の穿孔、切り欠き、及び／又は、くぼみを有してもよい。
【図面の簡単な説明】
【０００５】
図面の簡単な説明
【図１】本開示の実施形態の斜視図を示す。
【図２】図１に示される実施形態の分解斜視図を示す。
【図３】異なる開口寸法を有する代替的な共振器の図案を示す。
【図４】複数の開口を有する代替的な共振器の図案を示す。
【図５】代替的なノズルの図案を示す。
【図６】共振器を変調させるための制御回路からの駆動信号を示す波形図を示す。
【図７Ａ】本開示のさまざまな実施形態によって生成されるさまざまな模擬炎を示す。
【図７Ｂ】本開示のさまざまな実施形態によって生成されるさまざまな模擬炎を示す。
【図７Ｃ】本開示のさまざまな実施形態によって生成されるさまざまな模擬炎を示す。
【図８】ミスト柱を作成するために、流体の液滴を変換器上に供給する装置及び方法を示す。
【図９】ミスト柱を作成するために、流体の液滴を変換器上に供給する装置及び方法を示す。
【図１０】ミスト柱を作成するために、流体の液滴を変換器上に供給する装置及び方法を示す。
【図１１】ミスト柱を作成するために、流体の液滴を変換器上に供給する装置及び方法を示す。
【図１２】インサートを示す。
【図１３】インサートを受けるためのイミテーション丸太を示す。
【図１４】インサートの別の実施形態を示す。
【図１５】実施形態螺旋状の段になった芯を示し、撚られた又は編まれた、色の変化する光ファイバケーブル、又はＬＥＤライト／管を含む。
【図１６】実施形態螺旋状の段になった芯を示し、撚られた又は編まれた、色の変化する光ファイバケーブル、又はＬＥＤライト／管を含む。
【図１７】液体リザーバ及びポンプを含む別の実施形態を示す。
【発明を実施するための形態】
【０００６】
詳細説明
例示的な実施形態の以下の説明は、当業者が、添付の特許請求の範囲に示される主題を作成し使用することを可能にする情報を提供するが、当該技術分野においてすでによく知られた一定の詳細を省略することができる。したがって、以下の詳細説明は、説明のためのものであり、限定するものではない。
【０００７】
例示的実施形態はまた、添付の図面に示されるさまざまな要素間の空間的関係に関して、又は、さまざまな要素の空間的方向に関して、本明細書に説明されてもよい。一般に、そのような関係又は方向は、処理を受ける位置における受動者と一致する又は受動者と相対的な座標系を想定する。しかしながら、当業者によって認識されなければならないように、この座標系は、厳密な指示ではなくむしろ単なる説明的な手段である。
【０００８】
図１を参照すると、１０で示されるロウソクを形成するジルコン酸チタン酸鉛（ＰＺＴ）噴霧器の斜視図が示される。ロウソク１０は、芯１１のまわりにエアロゾル又はミスト１２を作成するために、変化するパワー及び／又は周波数で、液滴を制御可能且つ不規則に変調させて、次いで、炎状の効果をもたらすために蒸気ミスト１２を照らすことによって、模擬ロウソク炎を生成するように構成される。ノズル１４は、さまざまな効果をもたらすために利用される。液体は、水、エタノール、精油、又は液体の任意の組合せであってもよい。
【０００９】
図２を参照すると、ロウソク１０の分解斜視図が示される。ロウソク１０は、水などの液体を保持するように構成されるリザーバ２０を備える。多孔質芯構造２２は、リザーバ２０に同心円状に位置付けられ、リザーバ２０から液体を運び、液体を超音波共振器２４に提供するように構成される。共振器２４は、芯構造２２の頂面２６の上に距離Ｄ１だけ離れて位置するＰＺＴ圧電セラミックリング共振器及び鋼メンブレン組立体を備え、超音波振動によって液体をエアロゾル１２に変換するアクティブ共振部品である。
【００１０】
共振器２４は、選択的に制御可能である電気的に変調された駆動信号３０を提供する制御回路２８で制御され、生成されたエアロゾル１２の形状及び外観を制御する。駆動信号３０は、変換するエネルギを不定に制御して、ゆらぐ炎状の効果をもたらすために、変化するパワーレベル、周波数、及び波形でパルス化されて、生成されてもよく、それにより、渦巻いて、浮遊し、又は、図６に示されるような、他の選択された形状を発生させる。
【００１１】
円錐として示されるミスト指向ノズル１４は、エアロゾル蒸気１２を成形するように構成される。ノズル１４は、芯構造２２の頂面上、且つ、共振器２４より上に直接、位置付けられてもよいが、好ましくは、スペーサを使用するなどして、共振器２４より上に距離Ｄ２、及び、芯構造２２より上に距離Ｄ１＋Ｄ２だけ間隔をあける。
【００１２】
共振器２４は、エアロゾル１２が開口３２を通って上昇することが可能になるように構成される少なくとも１つの中央に配置された開口３２を有し、エアロゾル蒸気１２が渦巻いて、浮遊し、又は、他の選択された形状を発生させるように、エアロゾル蒸気１２を成形することを支援する。少なくとも１つの有色光源３４は、炎の外観を作り出すためにエアロゾル１２を照らすように構成される。光源３４は、発光ダイオード（ＬＥＤ）源、一体化された光ファイバ光源であってもよく、図１５及び図１６に示されるように、ロウソク１０の内部にある。色フィルタ３６が、同様に使用されてもよい。光源３４はまた、エアロゾル１２の像をつくるために光を提供するポリマー光フィルタを備えてもよい。色は、（炎の変化する色を模倣する）青色、黄色、橙色、及び赤色とは異なってもよく、断続的でも、点滅しても、移動してもよく、又は、色を変えてもよい。光源３４は、下からミストを照らすように構成されてもよく、又は、ロウソク芯１１は、ミスト内から光源を提供してもよい、すなわち、ロウソク芯は、ミスト内に閉じ込められる。ロウソク芯１１は、さまざまな形状、すなわち、螺旋状、段状を有してもよく、撚られた又は編まれた、ケーブルに沿って進んでもよい色の変化する光ファイバケーブル、或いはＬＥＤライト／管を含んでもよい。
【００１３】
共振器／変換器２４は、液体を炎状の特性を有するミスト／エアロゾルに成形する特定の形状、次元、材料の種類、くぼみ、穿孔、切り欠きなどからなってもよい。変換器は、金属板、又は、好適な組成のセラミック要素／材料、電極パターン（すなわち、中実、ラップアラウンド、側タブ、絶縁帯、ブルズアイ）、許容（すなわち、容量、ｄ３３値、周波数）電圧、形状、寸法、表面仕上、成形工程及び／又は後処理、特定のパターン、或いは代替的な電極材（ニッケル、金など）から構成されてもよい。
【００１４】
共振器２４は、図３の共振器４０及び共振器４２として示されるような、より大きな及び／又は成形された開口３２を有してもよく、或いは、図４の共振器４４、４６、及び４８として示されるような、複数の開口３２を有してもよい。それぞれの開口の設計は、変化する誘電体共振器応答、及び結果として生じる空気中の蒸気形状を提供し、それぞれの実際の炎状の外観をもたらす。
【００１５】
ノズル（マニホルド）１４は、図５でそれぞれ５０、５２、及び５４で示されるように、より短い又はより高い円錐などの、他の形状／寸法を有してもよく、或いは、渦巻として構成されてもよい。さまざまなノズル１４は、エアロゾルの成形を支援し、また、エアロゾル１４の高さを制御する。ノズル１４は、高速三次元印刷技術によって作成することができ、さまざまなエアロゾル１２の形状が可能である。
【００１６】
作成できるさまざまな照らされたエアロゾル蒸気が、図７Ａ、図７Ｂ、及び図７Ｃに示される。
【００１７】
代替的な実施形態
本開示の代替的な実施形態が図８〜１７に示される。本実施形態は、現実的な、多目的の、マルチプラットフォームの炎技術を作成する。本実施形態は、完全に一体化された（上に取り付けられるファン又は吸引機又は煙道が必要ない）、市場で準備された任意の利用可能な丸太とともに、任意の大きさの開口又は製造業者の火室に組み込むことができる、暖炉ユニットを含む。これは、現実的な外観、火の安全な代替形態を作り出す。
【００１８】
図８〜１１に示される１つの例示的な実施形態は、可変蒸発液滴技術（ＶＥＤＴ）を利用する現実的な蒸気炎技術（ＲＶＦＴ）を含むイミテーション炎生成器１００を備える。この生成器１００は、図８に示されるように、液滴１０４を圧電変換器１０６上に供給するように構成される液体ディスペンサ１０２を備える。ディスペンサ１０２は、多くの形態をとることができ、流体リザーバを含んでもよく、又は、１つ又は複数の開口に供給する導管を介して、流体を受けてもよい。変換器１０６は、変調器１１０によって生成された、変調された共振する駆動信号１０８によって駆動される。変調器１１０は、クラスＥインバータ及び／又は圧電トランスから構成されてもよい。ディスペンサ１０２は、変換器上に供給されている特定の液滴寸法を制御する装置及び／又は効果（たとえば、毛細管効果、ソレノイド弁の使用、キャビテーションプロセス管、ポンプ、ウィッキング効果、及び／又は、流体技術の実施態様（たとえば、スイッチ、増幅器、発振器など））から構成されてもよい。
【００１９】
図９に示されるように、液滴１０４は変換器１０６に衝突し、１１２で示されるような飛沫のように分散する。液滴１０４は、異なる寸法であってもよく、ディスペンサによって変換器１０６上の一定の／重要な場所に、断続的に供給／配置されてもよい。ミストは、変換器に供給されている液滴の変化する寸法／形状の関数として、形状及び寸法を変える。
【００２０】
図１０に示されるように、変調変換器１０６は、分散した液滴１１２を、変換器１０６から上昇するミスト／エアロゾル１１４に変換及び形成する。変換器１０６に送られる駆動信号１０８の変化するエネルギは、図１１に示されるように、ミスト１１４を蒸気柱１１６に変換させる。変換器１０６への駆動信号１０８の変化するエネルギ（不規則な変化する周波数、不規則なパワー、パルス幅変調比）は、液体をさまざまなミスト／エアロゾル液滴寸法で微粒子状／霧状にする。ミスト／エアロゾル液滴寸法のこの変化は、柱１１６の高さ、形状／寸法を変化させる。変換器１０６上の液滴寸法を変化させる、変換器１０６へのエネルギのこの変調、及び／又は、結果として生じる変化するミスト／エアロゾル液滴寸法は、蒸気柱１１６を上下に移動させ、本物の炎のゆらぐ効果を模倣する。これは、蒸気及び共振器のインタフェースの結果として生じる。
【００２１】
１つの例示的な実施形態において、変調変換器１０６の駆動信号１０８の共振周波数は、約２０ワットの運転出力において、２８．５２ｋＨｚの駆動信号である。他の実施形態において、周波数は約１００ｋＨｚでもよい。変換器１０６の直径は２６ｍｍ（約１インチ）である。炎効果を作り出すものは、生成された不規則な、変調変換器から上方へ広がる超音波である。これは、ロウソクの代わりに照り輝く。精油は、液体に加えて、香りのするロウソクの代わりに拡散されることができ、独自の製品の市場を開く。
【００２２】
変換器１０６の装置は、水源の水面の直下で高周波機械的振動を作り出す圧電変換器などの、複数の種類のうちの１つとすることができ、それにより、超音波振動は液体をミストに変える。水などの供給される流体は、重力を利用するために、（均一又は不均一な寸法の）液滴として変調変換器１０６上に落下させてもよい。水は、インジェクタを使用して変換器１０６上に注入されてもよく、水は、深皿に存在する、流れない液体でもよい。流体は、多くの方法で、変換器１０６上に輸送する、落下させる、配置する、押し込むことができる。毛細管効果の実施態様、ソレノイドの使用、管、ポンプ、ウィッキング効果、及び／又は流体技術の実施態様（たとえば、スイッチ、増幅器、発振器など）が、効率的に液体を輸送するために、及び／又は、液体の特定の大きさの液滴の、変換器上への移動を可能にすることができるプルーム運動及び支援機能をもたらすために利用されてもよい。液体は、変換器１０６上に注入されても、圧送されても、加圧されてもよい。流体スイッチ及び／又はソレノイド弁は、変換器１０６上への移動及び放出のために、液体の特定の大きさの液滴を効率的に作成及び移動するために利用されてもよい。ソレノイド弁及び／又はキャビテーションプロセスによる流体供給チャネルのシステムは、液滴が、本物の炎を模倣するためにさまざまな火炎高さを作成するため、（作動状態のままの）変換器上に断続的に供給されるとき、ランダムな柱寸法を提供してもよい。集積回路工学は、変換器のランダムな周波数／パワー変調を可能にすることができる。さまざまな液滴寸法が、流体弁送達システムを通して、或いは、いくつかの方法で、たとえば、上、下、側面、及び／又は中心からの変換器上への落下（重力）、押し込み（ポンプ／毛細管効果／圧力）、注入で、変換器上に流体をまき散らす変調ポンプシステムを通して、実現されてもよい。
【００２３】
１つの実施形態は、図１２に示されるような暖炉インサート１２０を備え、いくつかの変換器１０６は、さまざまな段状のオフセット半径パターンで並んでいてもよく、ランダムな液滴寸法が、さまざまな間隔で変換器１０６上に供給され、現実的なゆらぐ蒸気炎を作り出す。インサート１２０は、図１３に示されるように、分割された丸太１２４の凹部１２２に位置付けられてもよい。図１４は、線形に配置された変換器１０６を有するインサート１２６を示す。ディスペンサ１０２は、導管１３０によって供給されるノズルを備え、導管１３０は、流体リザーバなどの液体（たとえば）水源によって供給される。
【００２４】
図１７は、ロウソクの別の実施形態を２００で示し、本体２０２、液体リザーバ２０４、ポンプモータ２０６、液体送達導管２０８、共振器２１０、制御回路２１２、変調された駆動信号を提供する電気伝導体２１４、芯２１６、及び蒸気柱２１８を含むように示される。前述の実施形態と同様に、ポンプ２０６は、リザーバ２０４から、垂直に延在する導管２０８を介して、共振器２１０の近くまで、一定の又はさまざまな液滴寸法で、液体を配送する。共振器２１０は、蒸気柱２１８を作成するために、供給された液体を変調させ、制御回路２１２で生成された変調された制御信号のパワー及び／又は波形を変えることで蒸気柱１１８を成形する。ポンプ２０６は、蒸気柱１１８を成形するさまざまな液滴寸法で液体を配送してもよい。ＬＥＤファイバなどの１つ又は複数の光源は、蒸気柱２１８に色をつけて、炎に似せるために、芯２１６の中に、又は、芯２１６のまわりに配設することができる。
【００２５】
他の使用法としては、生物学的用途（現実的な炎のシミュレーションに関連するとは限らない）、花火技術、炉、トーチ、車両排気管、教育、奇術、特殊効果、軍事／法の執行／第一応答者訓練などを含んでもよい。この炎技術は、現実的な炎のシミュレーション／再現を必要とする任意の用途で利用することができる。
【００２６】
添付の特許請求の範囲は、上記の主題に関する新規の発明の態様を示すが、特許請求の範囲は、特に詳細に列挙されないさらなる主題を含んでもよい。たとえば、ある特徴、要素、又は態様は、必要でない場合、新規の発明の特徴を当業者にすでに知られていることから区別するために、特許請求の範囲から省略してもよい。本明細書で説明された特徴、要素、及び態様はまた、添付の特許請求の範囲によって定義される本発明の範囲から逸脱することなく、組み合わされてもよく、又は、同一の、等価な、又は類似した目的にかなう代替的な特徴によって置き換えられてもよい。
【図１】
2019518603.tif 000003
【図２】
2019518603.tif 000004
【図３】
2019518603.tif 000005
【図４】
2019518603.tif 000006
【図５】
2019518603.tif 000007
【図６】
2019518603.tif 000008
【図７Ａ】
2019518603.tif 000009
【図７Ｂ】
2019518603.tif 000010
【図７Ｃ】
2019518603.tif 000011
【図８】
2019518603.tif 000012
【図９】
2019518603.tif 000013
【図１０】
2019518603.tif 000014
【図１１】
2019518603.tif 000015
【図１２】
2019518603.tif 000016
【図１３】
2019518603.tif 000017
【図１４】
2019518603.tif 000018
【図１５】
2019518603.tif 000019
【図１６】
2019518603.tif 000020
【図１７】
2019518603.tif 000021
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
機器であって、
表面を有する変換器と、
前記変換器表面上に液体を供給するように構成されるディスペンサと、
変調信号を生成するように構成される制御回路であって、前記変調信号が、
前記液体をミストに変換し、
前記ミストが前記変調信号の関数として形状及び寸法を変える
ように、前記変換器を駆動するように構成される、制御回路と、
前記ミストを照らすように構成される光源と
を備える、機器。
【請求項２】
前記照らされたミストが模擬炎のように見える、請求項１に記載の機器。
【請求項３】
前記変調信号が、前記ミストが不規則な形状、寸法、及び／又は高さを有するようなさまざまな波形を備える、請求項１に記載の機器。
【請求項４】
前記変調信号が、前記ミストが変化するパワーレベルの関数として不規則な形状、寸法、及び／又は高さを有するような、前記変化するパワーレベルを備える、請求項１に記載の機器。
【請求項５】
前記供給された液体が液滴を備え、前記変換器が、前記液滴をはね散らすように構成される、請求項１に記載の機器。
【請求項６】
前記変換器が、前記ミストを通過させるように構成された少なくとも１つの開口を有する、請求項５に記載の機器。
【請求項７】
水面を有する水源をさらに備え、前記変換器の前記表面が、前記水面の直下にある、請求項１に記載の機器。
【請求項８】
前記ミストを通過させて、成形するように構成される成形部材をさらに備える、請求項１に記載の機器。
【請求項９】
前記成形部材が、円錐又は他の形状から構成される、請求項８に記載の機器。
【請求項１０】
前記光源が、前記ミスト内から前記ミストを照らすように構成される、請求項１に記載の機器。
【請求項１１】
前記光源が有色である、請求項１０に記載の機器。
【請求項１２】
前記変調信号が、前記ミストが変化するパワーレベルの関数として不規則な形状、寸法、及び／又は高さを有するような、前記変化するパワーレベルを備える、請求項７に記載の機器。
【請求項１３】
前記ミストを通過させて、成形するように構成される成形部材をさらに備える、請求項１２に記載の機器。
【請求項１４】
液体を保持するように構成されるリザーバをさらに備え、前記ディスペンサが、前記リザーバから前記液体を前記液滴として供給するように構成される、請求項１に記載の機器。
【請求項１５】
前記ディスペンサが、さまざまな速度で前記液滴を供給するように構成される、請求項１２に記載の機器。
【請求項１６】
機器であって、
変換器と、
前記変換器上に液体を供給するように構成されるディスペンサと、
変調信号を生成するように構成される制御回路であって、前記変調信号が、
前記変換器に近接する液体を蒸気柱に変換し、
前記蒸気柱が前記変調信号の関数として形状を変える
ように、前記変換器を駆動するように構成される、制御回路と、
前記蒸気柱が模擬炎のように見えるように、前記蒸気柱を照らすように構成される光源と
を備える、機器。
【請求項１７】
前記変調信号が、前記蒸気柱が不規則な形状を有するようなさまざまな波形を備える、請求項１６に記載の機器。
【請求項１８】
前記変調信号が、前記蒸気柱が不規則な形状を有するような変化するパワーレベルを備える、請求項１６に記載の機器。
【請求項１９】
前記蒸気柱を通過させて、成形するように構成される成形部材をさらに備える、請求項１６に記載の機器。
【請求項２０】
前記光源が有色である、請求項１６に記載の機器。
【請求項２１】
前記ディスペンサが、前記光源に取り囲まれている導管を備える、請求項１０に記載の機器。
【請求項２２】
前記光源が段状である、請求項２１に記載の機器。
【請求項２３】
前記光源が螺旋状に成形される、請求項２１に記載の機器。
【請求項２４】
前記光源が撚り合わされる、請求項２１に記載の機器。
【国際調査報告】
2019518603.tif 000022
2019518603.tif 000023
2019518603.tif 000024